(57)【特許請求の範囲】
【請求項１】
カラー原稿に対する版下を作成する分版モードを指定する指定手段と、
この指定手段により指定された分配モード時に付加する該画像形成装置を特定する固有の特定パターンの色を選択する色選択手段と、
カラー原稿を読取り、複数の色に色分解された画像データを出力する画像読取手段と、
この画像読取手段から出力される色分解された画像データを色変換して別の画像データに変換する色変換手段と、
この色変換手段により色変換された各画像データの中から上記色選択手段に選択されている色の画像データを選択する選択手段と、
この選択手段により選択された色の画像データに対して該画像形成装置を特定できる固有の特定パターンを付加する特定パターン付加手段と、
この特定パターン付加手段により該画像形成装置を特定する固有の特定パターンを付加した画像データに基づき記録媒体上に画像形成を行い、色変換手段により変換され固有の特定パターンが付加されていない各画像データに基づきそれぞれ別々の記録媒体上に画像形成を行う画像形成手段とを具備し、
上記色選択手段は、操作パネル上のボタンと、上記特定パターンとして選択可能な色を表示する表示手段とからなり、
上記操作パネル上の複数のボタンを押しながら電源スイッチをオンすることによりメンテナンスモードに切替えることにより、上記色選択手段による色の選択が可能であることを特徴とする画像形成装置。
【発明の詳細な説明】
【０００１】
【発明の属する技術分野】
この発明は、たとえば、原稿上のカラー画像を読取ってその複製画像を形成するための版下を作成するデジタル式カラー複写機などの画像形成装置に関する。
【０００２】
【従来の技術】
近年、スキャナやプリンタ、電子複写機等の画像形成装置の高画質化・カラー化において、その再現性が著しく向上し、本来再生されてはならない様な紙幣や有価証券等が、簡単には本物と区別できない程高画質で再生されてしまい、これを悪用されるという危惧が生じている。
【０００３】
これに伴い、画像が紙幣や有価証券等であるか否かを識別し、画像が紙幣や有価証券等である判断した場合、画像の再生動作を禁止する等の偽造防止技術が不可欠となっている。
【０００４】
また、上記の偽造防止技術を駆使しても、偽造防止の効果は完全ではなく、実際に、本来再生されてはならない様な紙幣や有価証券等が再生されてしまうことが有り得る。
【０００５】
そこで、本来再生されてはならない紙幣や有価証券等が再生されたとしても、再生画像から画像形成装置を特定出来る様に、紙幣や有価証券等の再生されてはならない特定原稿の画像に限らず全ての再生画像に対して、肉眼では識別しにくい、たとえば、イエローの色材を用いて、画像形成装置を特定出来る様な機体固有の特定パターンを再生画像に付加する技術が、特開平４−２９４６８２号公報等により知られている。
【０００６】
一方、フルカラーＰＰＣの中には編集機能などの付加的な機能を有するものが多く、これらの機能の一つに色分解モードを有する機種も多い。
この色分解モードは、通常原稿の色をＹ、Ｍ、Ｃ、Ｋの４色、またはＹ、Ｍ、Ｃの３色に分解し、それぞれの各版をブラックまたはＹ、Ｍ、Ｃ、Ｋの各色でコピー出力する機能である。ユーザはこれによって４版または３版の版を作成することができ、これらを版下として印刷、写真製版などの手法により、再び複写物を作成することができる。
【０００７】
このような上述した色分解モードは、Ｙ、Ｍ、Ｃ、Ｋの４色、あるいはＹ、Ｍ、Ｃの３色の色版を作成し、これを版下として印刷物を作成することができる。
しかし、この場合、通常のコピーモードのように再生画像に対して、再生画像から画像形成装置を特定できるようにイエローの特定パターンを付加することはしていないのが実状である。このため、例えば本来再生されてはならない紙幣や有価証券等をこの色分解モードの機能を使ってＹ、Ｍ、Ｃ、Ｋの４版、あるいはＹ、Ｍ、Ｃの３版の色版を作成し、この版下から印刷製版により印刷物を作成すると、結果的に画像形成装置を特定するイエローの特定パターンは付加されず、再生画像から画像形成装置を特定することが困難になってしまうという問題点を有していた。
【０００８】
【発明が解決しようとする課題】
この発明は、通常の原稿の色をＹ、Ｍ、Ｃ、Ｋの４色、あるいはＹ、Ｍ、Ｃの３色に分解し、それぞれの各版（版下）をブラックで画像形成する画像形成装置の色分解モードにおいて、この色分解モードで版下を作成し、印刷や写真製版等により印刷物を作成した場合においても、機体特定の特定パターンを印刷物に付加することができ、本来複写されてはならない紙幣や有価証券等が複製されてしまった場合でも、この特定パターンを調べることによって画像形成装置を特定することが可能となる画像形成装置を提供することを目的とする。
【０００９】
【課題を解決するための手段】
この発明の画像形成装置は、カラー原稿に対する版下を作成する分版モードを指定する指定手段と、この指定手段により指定された分配モード時に付加する該画像形成装置を特定する固有の特定パターンの色を選択する色選択手段と、カラー原稿を読取り、複数の色に色分解された画像データを出力する画像読取手段と、この画像読取手段から出力される色分解された画像データを色変換して別の画像データに変換する色変換手段と、この色変換手段により色変換された各画像データの中から上記色選択手段に選択されている色の画像データを選択する選択手段と、この選択手段により選択された色の画像データに対して該画像形成装置を特定できる固有の特定パターンを付加する特定パターン付加手段と、この特定パターン付加手段により該画像形成装置を特定する固有の特定パターンを付加した画像データに基づき記録媒体上に画像形成を行い、色変換手段により変換され固有の特定パターンが付加されていない各画像データに基づきそれぞれ別々の記録媒体上に画像形成を行う画像形成手段とを具備し、上記色選択手段は、操作パネル上のボタンと、上記特定パターンとして選択可能な色を表示する表示手段とからなり、上記操作パネル上の複数のボタンを押しながら電源スイッチをオンすることによりメンテナンスモードに切替えることにより、上記色選択手段による色の選択が可能である。
【００１０】
【発明の実施の形態】
以下、この発明の実施の形態について図面を参照して説明する。
図１は、この発明に係る原稿上のカラー画像を読取ってその複製画像や版下を形成するデジタル式カラー複写機などの画像形成装置の内部構成を概略的に示している。この画像形成装置は、大別して、原稿上のカラー画像を読取って入力する画像読取手段としてのカラースキャナ部１と、入力されたカラー画像の複製画像を形成する画像形成手段としてのカラープリンタ部２とから構成されている。
【００１１】
カラースキャナ部１は、原稿台カバー３、原稿台４、露光ランプ５、リフレクタ６、第１ミラー７、第１キャリッジ８、第２キャリッジ９、第２ミラー１１、第３ミラー１２、結像レンズ１３、ＣＣＤ形カラーイメージセンサ（光電変換素子）１５から構成されている。
【００１２】
上記露光ランプ５からの光をリフレクタ６により原稿台４上の原稿に集光させると、原稿からの反射光は、第１ミラー７、第２ミラー１１、第３ミラー１２、および、結像レンズ１３を介してカラーイメージセンサ１５に入射され、ここで入射光がＲ（レッド）、Ｇ（グリーン）、Ｂ（ブルー）の光の３原色に応じた電気信号に変換される。
【００１３】
カラープリンタ部２は、周知の減色混合法に基づいて、各色成分ごとに色分解された画像、すなわち、イエロー（ｙ）、マゼンタ（ｍ）、シアン（ｃ）、およよび、ブラック（ｋ）の４色の画像をそれぞれ形成する第１〜第４の画像形成部１０ｙ、１０ｍ、１０ｃ、１０ｋを有している。
【００１４】
各画像形成部１０ｙ、１０ｍ、１０ｃ、１０ｋの下方には、搬送ベルト２１を含む搬送機構２０が配設されている。搬送ベルト２１は、駆動ローラ９１と従動ローラ９２との間に巻回されて張設され、矢印ａ方向に一定速度で無端走行される。
【００１５】
各画像形成部１０ｙ、１０ｍ、１０ｃ、１０ｋは、それぞれ像担持体としての感光体ドラム６１ｙ、６１ｍ、６１ｃ、６１ｋを含んでいる。
各感光体ドラム６１ｙ、６１ｍ、６１ｃ、６１ｋの周囲には、帯電装置６２ｙ、６２ｍ、６２ｃ、６２ｋ、除電装置６３ｙ、６３ｍ、６３ｃ、６３ｋ、現像ローラ６４ｙ、６４ｍ、６４ｃ、６４ｋ、下撹拌ローラ６７ｙ、６７ｍ、６７ｃ、６７ｋ、上撹拌ローラ６８ｙ、６８ｍ、６８ｃ、６８ｋ、転写装置９３ｙ、９３ｍ、９３ｃ、９３ｋ、クリーニングブレード６５ｙ、６５ｍ、６５ｃ、６５ｋ、および、排トナー回収スクリュー６６ｙ、６６ｍ、６６ｃ、６６ｋが配置されている。
【００１６】
搬送機構２０の下方には、各画像形成部１０ｙ、１０ｍ、１０ｃ、１０ｋにより形成された画像を転写する被画像形成媒体（記録媒体）としての用紙Ｐを複数枚収容した用紙カセット２２ａ、２２ｂが配置されている。
【００１７】
用紙カセット２２ａ、２２ｂの一端部にピックアップローラ２３ａ、２３ｂが配置されている。ピックアップローラ２３ａ、２３ｂと従動ローラ９２との間には、レジストローラ２４が配置されている。
【００１８】
なお、他の感光体ドラム６１ｙ、６１ｍ、６１ｃに形成されたトナー像は、搬送ベルト２１上を搬送される用紙Ｐの搬送タイミングに合せて各転写位置に供給される。
【００１９】
レジストローラ２４と第１の画像形成部１０ｙとの間であって、従動ローラ９２の近傍には、吸着ローラ２６が配設されている。
搬送ベルト２１の一端であって、駆動ローラ９１の近傍には、位置ずれセンサ９６が配設されている。位置ずれセンサ９６は、たとえば、透過形あるいは反射形の光センサにより構成される。
【００２０】
駆動ローラ９１の外周上であって、位置ずれセンサ９６の下流側の搬送ベルト２１上には、搬送ベルトクリーニング装置９５が配置されている。
搬送ベルト２１を介して搬送された用紙Ｐが駆動ローラ９１から離脱されて、さらに搬送される方向には、定着装置８０が配設されている。定着装置８０は、ヒー卜ローラ対８１、オイル塗付ローラ８２、８３、ウェブ巻取りローラ８４、ウェブローラ８５、ウェブ押付けローラ８６とから構成されている。用紙Ｐ上に形成されたトナーを用紙に定着させ、排紙ローラ対８７により排出される。
【００２１】
各感光体ドラム６１ｙ、６１ｍ、６１ｃ、６１ｋの外周面上にそれぞれ色分解された静電潜像を形成する露光装置５０は、後述する画像処理装置３６にて色分解された各色ごとの画像データ（Ｙ、Ｍ、Ｃ、Ｋ）に基づいて発光制御される半導体レーザ発振器６０を有している。半導体レーザ発振器６０の光路上には、ポリゴンモータ５４により回転されるポリゴンミラー５１、および、ｆθレンズ５２、５３が順に設けられている。
【００２２】
ｆθレンズ５３と各感光体ドラム６１ｙ、６１ｍ、６１ｃ、６１ｋとの間には、第１の折り返しミラー５５ｙ、５５ｍ、５５ｃ、５５ｋ、および、第２および第３の折り返しミラー５６ｙ、５６ｍ、５６ｃ、５７ｙ、５７ｍ、５７ｃが配置されている。
【００２３】
なお、黒用のレーザービーム光は、第１の折り返しミラー５５ｋにより折り返された後、他のミラーを経由せずに感光体ドラム６１ｋ上に案内されるようになっている。
【００２４】
図２は、図１に示した画像形成装置の電気的接続および制御のための信号の流れを概略的に表わすブロック図を示している。図２において、制御系は、主制御部３０内のメインＣＰＵ（セントラル・プロセッシング・ユニット）３１、カラースキャナ部１のスキャナＣＰＵ１００、および、カラープリンタ部２のプリンタＣＰＵ１１０の３つのＣＰＵで構成される。
【００２５】
メインＣＰＵ３１は、プリンタＣＰＵ１１０と共有ＲＡＭ（ランダム・アクセス・メモリ）３５を介して双方向通信を行うものであり、メインＣＰＵ３１は動作指示をだし、プリンタＣＰＵ１１０は状態ステータスを返すようになっている。プリンタＣＰＵ１１０とスキャナＣＰＵ１００はシリアル通信を行い、プリンタＣＰＵ１１０は動作指示をだし、スキャナＣＰＵ１００は状態ステータスを返すようになっている。
【００２６】
操作パネル４０は、種々のモードの選択画面等が表示されるタッチパネル内蔵の液晶表示部４２、各種操作キー４３、および、これらが接続されたパネルＣＰＵ４１を有し、メインＣＰＵ３１に接続されている。
【００２７】
たとえば、液晶表示部４２は、版下を作成する分版モード（カラー原稿を色ごとに分解しイエロー、マゼンタ、シアン、ブラックの各版のブラックコピーを作成する）の指定画面を表示したり、オペレータによるメンテナンスモード時に、図３に示すように、分版モード時に付加する特定パターンの色の選択画面が表示するようになっている。
【００２８】
主制御部３０は、メインＣＰＵ３１、ＲＯＭ（リード・オンリ・メモリ）３２、ＲＡＭ３３、ＮＶＲＡＭ３４、共有ＲＡＭ３５、画像処理装置３６、ページメモリ制御部３７、ページメモリ３８、プリンタコントローラ３９、および、プリンタフォントＲＯＭ１２１によって構成されている。
【００２９】
メインＣＰＵ３１は、全体的な制御を司るものである。ＲＯＭ３２は、制御プログラムなどが記憶されている。ＲＡＭ３３は、一時的にデータを記憶するものである。
【００３０】
上記メインＣＰＵ３１は、分版モード時に付加する特定パターンの色の選択内容（オペレータによるメンテナンスモード時にあらかじめ選択され、ＲＡＭ３３に記憶されている）に対応するセレクト信号を、画像処理装置３６の後述する特定パターン付加部１３４におけるセレクタ１３５、セレクタ１３７に出力するようになっている。
【００３１】
ＮＶＲＡＭ（持久ランダム・アクセス・メモリ：ｎｏｎｖｏｌａｔｉｌｅ  ＲＡＭ）３４は、バッテリ（図示しない）にバックアップされた不揮発性のメモリであり、電源を遮断しても記憶データを保持するようになっている。
【００３２】
共有ＲＡＭ３５は、メインＣＰＵ３１とプリンタＣＰＵ１１０との間で、双方向通信を行うために用いるものである。
ページメモリ制御部３７は、ページメモリ３８に対して画像情報を記憶したり、読出したりするものである。ページメモリ３８は、複数ページ分の画像情報を記憶できる領域を有し、カラースキャナ部１からの画像情報を圧縮したデータを１ページ分ごとに記憶可能に形成されている。
【００３３】
プリンタフォントＲＯＭ１２１には、プリントデータに対応するフォントデータが記憶されている。プリンタコントローラ３９は、パーソナルコンピュータなどの外部機器１２２からのプリントデータを、そのプリントデータに付与されている解像度を示すデータに応じた解像度でプリンタフォントＲＯＭ１２１に記憶されているフォントデータを用いて画像データに展開するものである。
【００３４】
カラースキャナ部１は、全体の制御を司るスキャナＣＰＵ１００、制御プログラムなどが記憶されているＲＯＭ１０１、データ記憶用のＲＡＭ１０２、前記カラーイメージセンサ１５を駆動するＣＣＤドライバ１０３、前記第１キャリッジ８などを移動する走査モータの回転を制御する走査モータドライバ１０４、および、画像補正部１０５などによって構成されている。
【００３５】
画像補正部１０５は、カラーイメージセンサ１５から出力されるＲ、Ｇ、Ｂのアナログ信号をそれぞれデジタル信号に変換するＡ／Ｄ変換回路、カラーイメージセンサ１５のばらつき、あるいは、周囲の温度変化などに起因するカラーイメージセンサ１５からの出力信号に対するスレッショルドレベルの変動を補正するためのシェーディング補正回路、および、シェーディング補正回路からのシェーディング補正されたデジタル信号を一旦記憶するラインメモリなどから構成されている。
【００３６】
カラープリンタ部２は、全体の制御を司るプリンタＣＰＵ１１０、制御プログラムなどが記憶されているＲＯＭ１１１、データ記憶用のＲＡＭ１１２、前記半導体レーザ発振器６０を駆動するレーザドライバ１１３、前記露光装置５０のポリゴンモータ５４を駆動するポリゴンモータドライバ１１４、前記搬送機構２０による用紙Ｐの搬送を制御する搬送制御部１１５、前記帯電装置、現像ローラ、および、転写装置を用いて帯電、現像、転写を行うプロセスを制御するプロセス制御部１１６、前記定着装置８０を制御する定着制御部１１７、および、オプションを制御するオプション制御部１１８などによって構成されている。
【００３７】
なお、画像処理装置３６、ページメモリ３８、プリンタコントローラ３９、画像補正部１０５、および、レーザドライバ１１３は、画像データバス１２０によって接続されている。
【００３８】
図４は、画像処理装置３６の構成を詳細に示している。
画像処理装置３６は、カラースキャナ部１から赤（Ｒ）、緑（Ｇ）、青（Ｂ）に色分解された画像データが入力される入力処理部１３１、入力処理部１３１からのＲＧＢの画像データをシアン（Ｃ）、マゼンタ（Ｍ）、イエロー（Ｙ）、ブラック（Ｋ）の各データに変換する色変換手段としての色変換部１３２、色変換部１３２から出力されるＹＭＣＫの画像データに対し拡大・縮小・下地除去・ノイズ除去・エッジ強調などの処理を行うフィルタ処理部１３３、フィルタ処理部１３３から出力されるＹＭＣＫの画像データに対し特定パターンを付加する特定パターン付加手段としての特定パターン付加部１３４によって構成されている。
【００３９】
図５は、特定パターン付加部１３４の内部構成を示すものである。
この特定パターン付加部１３４は、フィルタ処理部１３３から出力されるＹＭＣＫの画像データのうちの１つをメインＣＰＵ３１からのセレクト信号に基づいて出力するセレクタ１３５、セレクタ１３５からの画像データに特定パターンを付加する特定パターン付加回路１３６、メインＣＰＵ３１からのセレクト信号に基づく画像データ以外の画像データと特定パターン付加回路１３６からの特定パターンが付加された画像データが出力されるセレクタ１３７によって構成されている。
【００４０】
たとえば今、特定パターンの色としてイエロー（Ｙ）が選択されている場合、メインＣＰＵ３１からセレクタ１３５、セレクタ１３７にイエロー（Ｙ）のセレクタ信号が供給される。これにより、セレクタ１３５は、フィルタ処理部１３３からのイエロー（Ｙ）の画像データを選択して特定パターン付加回路１３６に出力し、セレクタ１３７は、フィルタ処理部１３３からのシアン（Ｃ）、マゼンタ（Ｍ）、ブラック（Ｋ）の各画像データと特定パターン付加回路１３６からの特定パターンが付加されているイエロー（Ｙ）の画像データを出力するようになっている。
【００４１】
図６は、特定パターン付加回路１３６の構成例を示すものである。この回路は、主走査カウンタ１６１、副走査カウンタ１６２、第１のルックアップテーブル（ＬＵＴ１）１６３、第２のルックアップテーブル（ＬＵＴ２）１６４、アンド回路（ＡＮＤ）１６５、セレクタ部１６６、および、加算器１６７によって構成されている。
【００４２】
図６の回路の動作について説明すると、主走査カウンタ１６１は、画像クロックをカウントすることで、主走査方向に８ビットのカウントを行い、ライン同期信号によってリセットされる。副走査カウンタ１６２は、ライン同期信号をカウントすることで、副走査方向に８ビットのカウントを行い、ページ同期信号によってリセットされる。
【００４３】
第１のルックアップテーブル１６３には、出力再生画像（複製画像）に特定パターンを付加するか否かの１ビットのデータが格納されるもので、主走査カウンタ１６１の出力の上位４ビット（Ｄ７〜Ｄ４）が第１のルックアップテーブル１６３の下位４ビット（Ａ３〜Ａ０）のアドレスに、副走査カウンタ１６２の出力の上位４ビット（Ｄ７〜Ｄ４）が第１のルックアップテーブル１６３の上位４ビット（Ａ７〜Ａ４）のアドレスにそれぞれ入力されている。したがって、第１のルックアップテーブル１６３は、主走査方向に１６クロックごとに、副走査方向に１６ラインごとに、図７に示されるルックアップテーブルの内容を出力する。
【００４４】
第２のルックアップテーブル１６４には、出力再生画像（複製画像）に付加する特定パターンのドット構成を決める２ビットのデータが格納されるもので、主走査カウンタ１６１の出力の下位４ビット（Ｄ３〜Ｄ０）が第２のルックアップテーブル１６４の下位４ビット（Ａ３〜Ａ０）のアドレスに、副走査カウンタ１６２の出力の下位４ビット（Ｄ３〜Ｄ０）が第２のルックアップテーブル１６４の上位４ビット（Ａ７〜Ａ４）のアドレスにそれぞれ入力されている。したがって、第２のルックアップテーブル１６４は、１クロックごとに図８に示されるルックアップテーブルの内容を出力する。
【００４５】
第１のルックアップテーブル１６３の１ビットの出力を２ビットに拡張し、第２のルックアップテーブル１６４の２ビットの出力との論理積をアンド回路１６５でとり、その結果をセレクタ部１６６の制御信号として入力する。セレクタ部１６６では、入力された２ビットの制御信号が“００”のとき“０”を、“０１”のとき“Ｋ１”を、“１０”のとき“Ｋ２”を、“１１”のとき“Ｋ３”を、それぞれ８ビットの信号として選択出力し、加算器１６７でセレクタ部１６６の出力と入力された画像データとの和をとることで、画像データに対しルックアップテーブル１６３、１６４の各内容に応じた特定パターンを付加することが可能である。
【００４６】
上記複写機の通常の動作モードに於いては、電源が投入されウォーミングアップが終了した時点に於いて通常の複写動作が可能な状態（以下、通常動作モード）になる。
【００４７】
一方、複写機には一般的に、通常動作モードの他に、修理やメンテナンスに使用するメンテナンスモードと呼ばれるモードを備えており、特定ユーザ向けなどに一部パラメータ等を変更したり、各部の動作条件を変更することが可能となっている。動作モードを通常動作モードからメンテナンスモードに切替える方法として、例えば、操作パネル４０上のあるボタンを、通常使用時には絶対にあり得ない様な組み合わせで押しながら、電源スイッチをオンにする様な方法が考えられる。
【００４８】
図３は、メンテナンスモードに於いて特定パターンを付加する色を選択する液晶表示部４２での選択画面の表示例である。
この例では、特定パターンを出力したい色に対応したボタンを、シアン、マゼンタ、イエロー、ブラックの中から選択する様になっている。この選択ボタンは互いに排他的になっており、同時に２色を選択できないようになっている。
【００４９】
次に、上記のような構成において、版下を再生出力する（作成する）分版モード時の処理について説明する。
たとえば今、上述したメンテナンスモードにおいて、特定パターンを付加する色として、イエローが選択され、ＲＡＭ３３に記憶されているものとする。これにより、メインＣＰＵ３１からのイエローのセレクト信号が、画像処理装置３６の特定パターン付加部１３４内のセレクタ１３５、１３７に出力されている。このため、セレクタ１３５はフィルタ処理部１３３からのイエロー（Ｙ）の画像データを選択し、セレクタ１３７はフィルタ処理部１３３からのシアン（Ｃ）、マゼンタ（Ｍ）、ブラック（Ｋ）の各画像データと特定パターン付加回路１３６からの特定パターンが付加されているイエロー（Ｙ）の画像データを選択するようになっている。
【００５０】
このような状態において、操作パネル４０により分版モードが選択され、原稿が原稿台４に載置され、コピー開始が指示される。すると、原稿台４に載置された原稿画像がカラースキャナ部１により読取られ、画像処理装置３６の入力処理部１３１に出力される。
【００５１】
これにより、入力処理部１３１は入力された赤（Ｒ）、緑（Ｇ）、青（Ｂ）に色分解された画像データを色変換部１３２へ出力する。色変換部１３２は、供給されるＲＧＢの画像データをシアン（Ｃ）、マゼンタ（Ｍ）、イエロー（Ｙ）、ブラック（Ｋ）の各データに変換し、フィルタ処理部１３３へ出力する。フィルタ処理部１３３は、供給されるＹＭＣＫの画像データに対し拡大・縮小・下地除去・ノイズ除去・エッジ強調などの処理を行い特定パターン付加部１３４内のセレクタ１３５、１３７へ出力する。セレクタ１３５は上記セレクト信号に基づいて、フィルタ処理部１３３からのイエロー（Ｙ）の画像データを選択して特定パターン付加回路１３６に出力する。
【００５２】
この場合、特定パターン付加回路１３６は、供給されるイエロー（Ｙ）の画像データに上述したように特定パターンを付加してセレクタ１３７へ出力する。
そして、セレクタ１３７は、フィルタ処理部１３３からのシアン（Ｃ）、マゼンタ（Ｍ）、ブラック（Ｋ）の各画像データと特定パターン付加回路１３６からの特定パターンが付加されているイエロー（Ｙ）の画像データをプリンタ部２へ出力する。
【００５３】
すなわち、セレクタ１３７では、特定パターン付加回路１３６からの出力がイエローＹｏｕｔとして出力され、ＣｏｕｔにＣｉｎ、ＭｏｕｔにＭｉｎ、ＫｏｕｔにＫｉｎが出力される。
【００５４】
この後、プリンタ部２では、通常コピーモードの場合とは異なり、画像処理装置３４の特定パターン付加部１３４内のセレクタ１３７から供給される各色の画像データＹｏｕｔ、Ｍｏｕｔ、Ｃｏｕｔ、Ｋｏｕｔごとにそれぞれ別々の用紙に黒１色で出力される。
【００５５】
この実施形態のように通常の特定パターンは視覚的に目立たないイエローで付加されるのが一般的である。しかし、出力の解像度が非常に高くこれらの特定パターンを目に付かないほど微小に付加することができる場合などイエロー以外の色で出力したい場合は、特定パターンの色を上述のメンテナンスモードで切り換えてイエロー以外の色すなわちマゼンタ、シアン、ブラックで付加することも可能となっている。
【００５６】
上記したように、通常の原稿の色をＹ、Ｍ、Ｃ、Ｋの４色、あるいはＹ、Ｍ、Ｃの３色に分解しそれぞれの各版をブラックでコピーするフルカラーＰＰＣの色分解モードにおいても、通常のコピーモードと同様に機体固有の特定パターンを付加する機能を有する複写機である。
【００５７】
これにより、この色分解モードで版下を作成し、印刷や写真製版等により印刷物を作成した場合においても機体特定の特定パターンを印刷物に付加することができる。その結果、本来複写されてはならない紙幣や有価証券等が再生されてしまった場合でも、この特定パターンを調べることによって複写機を特定することが可能となる。
【００５８】
【発明の効果】
以上詳述したように、この発明によれば、通常の原稿の色をＹ、Ｍ、Ｃ、Ｋの４色、あるいはＹ、Ｍ、Ｃの３色に分解し、それぞれの各版（版下）をブラックで画像形成する画像形成装置の色分解モードにおいて、通常の画像形成モードと同様に機体固有の特定パターンを形成画像に付加することにより、この色分解モードで版下を作成し、印刷や写真製版等により印刷物を作成した場合においても、機体特定の特定パターンを印刷物に付加することができ、本来複写されてはならない紙幣や有価証券等が複製されてしまった場合でも、この特定パターンを調べることによって画像形成装置を特定することが可能となる画像形成装置を提供できる。
【図面の簡単な説明】
【図１】この発明の実施形態を説明するためのデジタルカラー複写機の概略構成を示す断面図。
【図２】デジタルカラー複写機の概略構成を示すブロック図。
【図３】操作パネルの液晶表示部の表示例を示す図。
【図４】画像処理装置の概略構成を示すブロック図。
【図５】特定パターン付加部の概略構成を示すブロック図。
【図６】特定パターン付加部に搭載されている特定パターン付加回路を説明する図。
【図７】特定パターン付加回路内のＬＵＴ１の内部のアドレス構成を表す図。
【図８】特定パターン付加回路内のＬＵＴ２の内部のアドレス構成を表す図。
【符号の説明】
１…カラースキャナ部（画像読取手段）
２…カラープリンタ部（画像形成手段）
３０…主制御部
３１…メインＣＰＵ
３６…画像処理装置
４０…操作パネル
４２…液晶表示部
１３１…入力処理部
１３２…色変換部（色変換手段）
１３３…フィルタ処理部
１３４…特定パターン付加部（特定パターン付加手段）
【図１】
0003734964.tif 000002
【図２】
0003734964.tif 000003
【図３】
0003734964.tif 000004
【図４】
0003734964.tif 000005
【図５】
0003734964.tif 000006
【図６】
0003734964.tif 000007
【図７】
0003734964.tif 000008
【図８】
0003734964.tif 000009